(57)【要約】【課題】底面に向かって外径が除々に縮径した縮径部を有するキャップ本体にシールを貼着した際に、縮径部にしわが発生し難いシールを貼着した筆記具のキャップを提供する。【解決手段】有底円筒体からなるキャップ本体に、底面に向かって外径が除々に縮径した縮径部を形成し、前記キャップ本体の外表面に屈折部又は屈曲部を有するとともに、該キャップ本体の外表面にシールを貼着してなる筆記具のキャップであって、前記シールの少なくとも一方の端部に、他の部分の幅より小さい幅の幅狭部を形成し、該幅狭部が、前記キャップ本体の縮径部に貼着してあることを特徴とする。【選択図】          図１
2007261182.tif 000002
【特許請求の範囲】
【請求項１】
有底円筒体からなるキャップ本体に、底面に向かって外径が除々に縮径した縮径部を形成し、前記キャップ本体の外表面に屈折部又は屈曲部を有するとともに、該キャップ本体の外表面にシールを貼着してなる筆記具のキャップであって、前記シールの少なくとも一方の端部に、他の部分の幅より小さい幅の幅狭部を形成し、該幅狭部が、前記キャップ本体の縮径部に貼着してあることを特徴とする筆記具のキャップ
【請求項２】
前記キャップ本体に、クリップを一体又は付設するとともに、該クリップの反対側の前記外表面にシールを貼着したことを特徴とする請求項１に記載の筆記具のキャップ
【請求項３】
前記幅狭部のシールの幅が小さくなる位置が、前記屈折部又は屈曲部と、略同一周上に位置して貼着してあることを特徴とする請求項１または２に記載の筆記具のキャップ
【請求項４】
前記幅狭部が、先端角部を円弧状に面取りしてあることを特徴とする請求項１ないし３の何れか１項に記載の筆記具のキャップ
【請求項５】
前記幅狭部が、前記縮径部の縮径と同一方向に向かって幅を除々に小さくしたことを特徴とする請求項１ないし４の何れか１項に記載の筆記具のキャップ
【請求項６】
前記シールが、幅狭部の先端縁から他方の端縁に向かって延びる切欠部を形成してあることを特徴とする請求項１ないし５の何れか１項に記載の筆記具のキャップ
【請求項７】
前記シールが、幅狭部の両側縁に切欠部を形成してあることを特徴とする請求項１ないし６の何れか１項に記載の筆記具のキャップ
【発明の詳細な説明】
【技術分野】
【０００１】
本発明はキャップ本体に、底面に向かって外径が除々に縮径した縮径部を形成し、該キャップ本体の外表面にシールを貼着してなる筆記具のキャップに関する。
【背景技術】
【０００２】
従来から、筆記具のキャップや軸筒等の筆記具用部品に、シールを貼着しているものはよく知られている。こうしたシールを貼着した筆記具において、特許第３１６０８６１号「筆記具におけるクリップ用貼着ラベル」や実開平０７−２９５６８号「貼着用のラベル」に、軸筒やクリップ等の円周方向の曲面に対応して切り込みを設けることで、剥がれにくいラベルが開示されている。
【特許文献１】「特許第３１６０８６１号公報」
【特許文献２】「実開平０７−２９５６８号公報」
【発明の開示】
【発明が解決しようとする課題】
【０００３】
しかしながら、特許文献１、２は、クリップの外表面又は軸筒外表面等の一方向の曲面に対応するだけで、少なくともどちらか一方の端部に、端縁に向かって外径が除々に縮径した縮径部を有するキャップの外表面部分に貼着すると、縮径した部分でシールの未貼着部分がしわとなって発生し、外観上の見栄えが低下するとともに、この未貼着部分からシールが剥離するという問題あった。
【０００４】
そのため、底面に向かって外径が除々に縮径した縮径部を有するキャップ本体の外表面にシールを貼着する場合には、前述した縮径部でのしわの発生を考慮して、シールの大きさや貼着位置が限定されていた。
【０００５】
本発明の目的は、底面に向かって外径が除々に縮径した縮径部を有するキャップ本体にシールを貼着した際に、縮径部にしわが発生し難いシールを貼着した筆記具のキャップを提供することである。
【課題を解決するための手段】
【０００６】
本発明は、有底円筒体からなるキャップ本体に、底面に向かって外径が除々に縮径した縮径部を形成し、前記キャップ本体の外表面に屈折部又は屈曲部を有するとともに、該キャップ本体の外表面にシールを貼着してなる筆記具のキャップであって、前記シールの少なくとも一方の端部に、他の部分の幅より小さい幅の幅狭部を形成し、該幅狭部が、前記キャップ本体の縮径部に貼着してあることを特徴とする。
【０００７】
また、前記キャップ本体に、クリップを一体又は付設するとともに、該クリップの反対側の前記外表面にシールを貼着したことを特徴とする。
【０００８】
また、前記幅狭部のシールの幅が小さくなる位置が、前記屈折部又は屈曲部と、略同一周上に位置して貼着してあることを特徴とする。
【０００９】
また、前記幅狭部が、先端角部を円弧状に面取りしてあることを特徴とする。
【００１０】
また、前記幅狭部が、前記縮径部の縮径と同一方向に向かって幅を除々に小さくしたことを特徴とする。
【００１１】
また、前記シールが、幅狭部の先端縁から他方の端縁に向かって延びる切欠部を形成してあることを特徴とする。
【００１２】
また、前記シールが、幅狭部の両側縁に切欠部を形成してあることを特徴とする。
【発明の効果】
【００１３】
底面に向かって外径が除々に縮径した縮径部を有するキャップ本体にシールを貼着した際に、縮径部にしわが発生し難いシールを貼着した筆記具のキャップを提供することができた。
【発明を実施するための最良の形態】
【００１４】
次に図面を参照しながら、本発明の筆記具のキャップの実施例を説明するが、本発明は以下の実施例に限定されるものではない。
【００１５】
実施例１
図１から図３に示す筆記具のキャップ１は、有底円筒体からなるキャップ本体２の先端部に、底面２ａに向かってキャップ本体２の外形線Ｇから底面２ａに向かって除々に縮径した、他のキャップ本体の外径Ｌよりも小径となる外壁が円弧状の縮径部３を形成するとともに、クリップ６を一体に形成し、このクリップ６の反対側の外表面にシール４を貼着して筆記具のキャップ１を得ている。
【００１６】
尚、本発明における底面２ａとは、キャップ本体２の開口部２ｂと反対側の端縁に位置する面のことであり、同一直線又は同一曲線にて形成される面のことである。
【００１７】
シール４は、先端部に、略長方形からなる他の部分の幅Ｎより小さい幅Ｍ１の幅狭部５を形成するとともに、幅狭部５の幅が先端に向かって除々に小さく（Ｍ１＞Ｍ２）なるように、両側縁５ｂを先端縁５ａに向かって傾斜状に形成してある。この略長方形からなる他の部分の幅Ｌから幅が小さくなる位置を、縮径部３を形成することによって生じるキャップ本体の外表面の屈折部Ｓと略同一周上で、且つ幅狭部５が、本体２の縮径部３に位置するように貼着してある。また、シール４の角部Ｒ１、Ｒ２、Ｒ３は全て円弧状に面取りしてある。
【００１８】
尚、シール４の表面には、商品名、注意書き、バーコード、製造社名等の印刷され、図示はしていないがシール４の裏面には接着剤等の粘着材が塗布されている。
【００１９】
キャップ本体２の縮径部３で生じようとするしわは、縮小する径の大きさに比例して発生し易い。そのためシール４の中心線Ｊに対して垂線Ｋ方向での距離が長い程、しわ発生しやすいため、幅狭部５を形成し、この幅狭部５が縮径部３に位置するように貼着することによって、シール４に未貼着部分によるしわの発生を抑制することができる。また、シール４の幅が小さくなる位置を屈曲部Ｓと略同周上とすることで、本体２の縮径部３に幅狭部５のみが位置するためにシール４に未貼着部分によるしわを効果的に防止することができ、シール４の表示面積の低減を少なくすることができるので好ましい。
【００２０】
また、シール４の角部近傍は、シール４の中心線Ｊ方向や、垂線Ｋ方向等、多方向でのずれが集まりしわが発生しやいため、角部Ｒ１、Ｒ２、Ｒ３を円弧状に面取りすることにより、しわが目立ち難くすることができるので好ましい。特に幅狭部５では角部Ｒ１にしわが発生し易いので効果的である。
【００２１】
さらに、幅狭部５の幅を除々に小さくすることによって、幅狭部５の先端縁５ａに近づくにつれて、シール４の中心線Ｊに対して垂線Ｋ方向での幅狭部５の幅を短くできるので、シール４に未貼着部分によるしわがより発生し難くなるので好ましい。尚、本実施例では、幅狭部５の幅を除々に小さくした傾斜状に形成してあるが、図示はしていないが、幅狭部５の幅を除々に小さくした円弧状に形成してもよい。
【００２２】
実施例２
図４から図６に示す実施例２の筆記具のキャップ１１は、シール１４の先端部に、略長方形の他の部分の幅ｎより小さい幅ｍの幅狭部１５を形成、この幅狭部１５の先端縁１５ａから後方に向かって延びる略Ｖ字状の切欠部１７と、シール１４の幅が縮小を開始する両側縁１５ｂに、略Ｖ字状の切欠部１８を形成した以外は、実施例１と同様に筆記具のキャップ１１を得ている。
【００２３】
幅狭部１５の先端縁１５ａから後方に向かって延びる略Ｖ字状の切欠部１７を形成することによって、本体２の縮径部３で生じようとするしわが切欠部１７によって吸収されるとともに、シール１４の幅狭部１５が内側に集まる（図５、６の矢印方向）ように貼着されるので、シール１４に未貼着部分によるしわの発生を効果的に防止することができるので最も好ましい。
【００２４】
さらに、幅狭部１５の両側縁１５ｂに、Ｖ字状の切り欠き部１８を形成することによって、シール１４の幅狭部１５が内側に集まり易くなるために、しわが発生し難くなるので好ましい。
【００２５】
本実施例では、筆記具のキャップのみを例示してあるが、筆記具として使用する場合には、筆記具用レフィル等を収容した軸筒に着脱自在に装着して使用する。また、筆記具用のキャップの形状は、先端部に、底面に向かって外径が除々に縮径した縮径部を有するものであれば特に限定されるものではないが、クリップを有するキャップは、シールを貼着する部分が限定されるので本発明は特に効果的である。尚、本実施例では便宜上、キャップ本体と縮径部を一体に形成してあるが、キャップ本体と縮径部を別体に形成してあってもよい。
【００２６】
また、キャップの形状も有底円筒体であれば、特に限定されないが、キャップ本体を抜き型で形成する場合等は、全体的に底面に向かって微少に縮径する等、縮径比率の異なる複数の屈折部又は屈曲部を有する場合には、幅狭部を段階的に形成し、縮径部に対応して貼着してもよいし、キャップ本体の外径に対して０．５ｍｍ未満の微少な縮径であれば、シールの未貼着部分によるしわが発生し難いので、少なくともキャップ本体の外径に対して０．５ｍｍ以上縮径する縮径部に、シールの幅狭部を貼着してあればよい。また、キャップ本体に凹凸を有する場合には、その稜線を外形線とする。
【００２７】
切欠部の形状も特に限定されるものではなく、Ｖ字状やＵ字状等、印刷部の表示内容や筒体の形状によって適宜選択して使用することができる。さらに、切欠部の幅や大きさは、キャップ本体の縮径部の縮径割合に応じて適宜選択することができる。
【産業上の利用可能性】
【００２８】
シールを貼着した筆記具のキャップとして、キャップの着脱時や移動時にシールが剥離することがないので、広く実施可能である。また、シールの大きさを大きくすることができるので、注意書きやエコマーク等の特徴のある筆記具に用いることが効果的である。
【００２９】
さらに、陳列台や筆立て等のケースには、キャップが上面を向いた状態に筆記具を倒立させて置くため、軸筒はケース内に埋没するために、キャップにシールを貼着することで、軸筒にシールを貼着した場合に比べ差別化することができる。
【図面の簡単な説明】
【００３０】
【図１】実施例１の筆記具のキャップを示す側面図である。
【図２】実施例１の筆記具のキャップを示すクリップと反対側の外観図である。
【図３】図１における貼着前のシールを示す拡大図である。
【図４】実施例２の筆記具のキャップを示す側面図である。
【図５】実施例２の筆記具のキャップを示すクリップと反対側の外観図である。
【図６】図４における貼着前のシールを示す拡大図である。
【符号の説明】
【００３１】
１、１１  筆記具のキャップ
２  キャップ本体
２ａ  底面
３  縮径部
４、１４  シール
５、１５  幅狭部
５ａ、１５ａ  先端縁
５ｂ、１５ｂ  両側縁
６  クリップ
１７  切欠部
１８  切欠部
【図１】
2007261182.tif 000003
【図２】
2007261182.tif 000004
【図３】
2007261182.tif 000005
【図４】
2007261182.tif 000006
【図５】
2007261182.tif 000007
【図６】
2007261182.tif 000008